(57)【特許請求の範囲】
【請求項１】
発射球貯留部に貯留された遊技球を、発射装置にて遊技領域に発射して遊技を行う弾球遊技機であって、
遊技球が１球ずつ通過可能な発射球供給孔を有し、前記発射球貯留部から取り込んだ遊技球を、前記発射装置が遊技球を発射する度に前記発射球供給孔を通して１つずつ発射装置に供給する発射球供給装置と、
前記発射球供給孔又はその近傍に配置されると共に、１対の刃部を略Ｖ字形に配置してなる切込部を有し、不正用の操作線付き遊技球の操作線が前記発射球供給孔に通された状態で、その操作線付き遊技球が前記発射装置にて発射された場合に、前記操作線が前記切込部の奥部に向かって進入して、前記１対の刃部にて切断されるか又は１対の刃部に食い込まれて捕捉されるようにした不正防止部材とを備え、
前記不正防止部材は、１枚の板部材を折り曲げ部で折り曲げて形成されると共に、その折り曲げ部の両側に位置する１対の板片のエッジ同士が、前記１対の刃部として前記略Ｖ字形に配置されて前記切込部が形成され、
前記板部材のうち前記折り曲げ部の両側に位置する前記１対の板片同士が一部で重なり合うと共に、それら１対の板片のうち互いに重なり合っていない部分の前記エッジ同士が、前記１対の板片の重ね合わせ面と同一平面内で略Ｖ字形に配置されて前記切込部が形成され、
前記不正防止部材のうち前記切込部の側方位置には、前記操作線付き遊技球が発射されたときに前記操作線が摺接して、その操作線を前記切込部に誘導する導入部が設けられたことを特徴とする弾球遊技機。
【請求項２】
前記不正防止部材は、前記折り曲げ部が前記前記発射球供給装置のうち前記発射球供給孔を備えた第１外面に形成された溝部に挿し込まれた状態で、前記発射球供給装置に取り付けられたことを特徴とする請求項１に記載の弾球遊技機。
【請求項３】
前記不正防止部材は、主板部から側板部を折り曲げた構造をなすと共に、前記主板部が前記１対の板片同士を折り重ねた構成をなし、
前記主板部のうち前記側板部から離れた端部に前記折り曲げ部が配置されて、その折り曲げ部が前記溝部に挿し込まれた状態で、前記側板部が前記発射球供給装置に取り付けられたことを特徴とする請求項２に記載の弾球遊技機。
【請求項４】
前記板部材は、前記切込部を構成するために前記折り曲げ部で折り曲げられる帯板部を備えると共に、前記帯板部の幅方向の一側縁部に開放した切り欠き部が形成され、
前記切込部は、前記帯板部のうち前記切り欠き部より先端側の平板部を前記切り欠き部側に折り曲げ、その折り曲げられた平板部のエッジと前記切り欠き部のエッジとを略Ｖ字形に配置して形成されたことを特徴とする請求項１乃至３の何れか１の請求項に記載の弾球遊技機。
【請求項５】
前記発射球供給装置の後側に前記発射装置が配置され、前記発射球供給装置のうち前記発射装置側に前記不正防止部材が取り付けられたことを特徴とする請求項１乃至４の何れか１の請求項に記載の弾球遊技機。
【請求項６】
前記切込部は、遊技球の発射方向の前方に向かうに従って徐々に幅狭になるように形成されていることを特徴とする請求項１乃至５の何れか１の請求項に記載の弾球遊技機。
【発明の詳細な説明】
【技術分野】
【０００１】
本発明は、弾球遊技機に関する。
【背景技術】
【０００２】
従来の弾球遊技機として、発射装置によって遊技領域に打ち込まれた遊技球が遊技領域を流下する途中で入賞口に入賞することで遊技者に利益を付与するものが知られている（例えば、特許文献１参照）。
【先行技術文献】
【特許文献】
【０００３】
【特許文献１】特開２００７−８９９０２号公報（段落［００４２］〜［００５０］）
【発明の概要】
【発明が解決しようとする課題】
【０００４】
ところで近年、遊技球に糸やピアノ線等の操作線を取り付けた操作線付き遊技球を、正規の遊技球と同様に発射装置によって遊技領域に打ち込み、遊技機の外側から遊技領域内の操作線付き遊技球を操って不正に利益を得ようとする不正行為が頻発している。
【０００５】
本発明は、上記事情に鑑みてなされたもので、操作線付き遊技球による不正行為を規制することが可能な弾球遊技機の提供を目的とする。
【課題を解決するための手段】
【０００６】
上記目的を達成するためになされた請求項１の発明に係る弾球遊技機は、発射球貯留部に貯留された遊技球を、発射装置にて遊技領域に発射して遊技を行う弾球遊技機であって、遊技球が１球ずつ通過可能な発射球供給孔を有し、発射球貯留部から取り込んだ遊技球を、発射装置が遊技球を発射する度に発射球供給孔を通して１つずつ発射装置に供給する発射球供給装置と、発射球供給孔又はその近傍に配置されると共に、１対の刃部を略Ｖ字形に配置してなる切込部を有し、不正用の操作線付き遊技球の操作線が発射球供給孔に通された状態で、その操作線付き遊技球が発射装置にて発射された場合に、操作線が切込部の奥部に向かって進入して、１対の刃部にて切断されるか又は１対の刃部に食い込まれて捕捉されるようにした不正防止部材とを備え、不正防止部材は、１枚の板部材を折り曲げ部で折り曲げて形成されると共に、その折り曲げ部の両側に位置する１対の板片のエッジ同士が、１対の刃部として略Ｖ字形に配置されて切込部が形成され、板部材のうち前記折り曲げ部の両側に位置する１対の板片同士が一部で重なり合うと共に、それら１対の板片のうち互いに重なり合っていない部分のエッジ同士が、１対の板片の重ね合わせ面と同一平面内で略Ｖ字形に配置されて切込部が形成され、不正防止部材のうち切込部の側方位置には、操作線付き遊技球が発射されたときに操作線が摺接して、その操作線を切込部に誘導する導入部が設けられたところに特徴を有する。
【０００９】
請求項２の発明は、請求項１に記載の弾球遊技機において、不正防止部材は、折り曲げ部が発射球供給装置のうち発射球供給孔を備えた第１外面に形成された溝部に挿し込まれた状態で、発射球供給装置に取り付けられたところに特徴を有する。
【００１０】
請求項３の発明は、請求項２に記載の弾球遊技機において、不正防止部材は、主板部から側板部を折り曲げた構造をなすと共に、主板部が１対の板片同士を折り重ねた構成をなし、主板部のうち側板部から離れた端部に折り曲げ部が配置されて、その折り曲げ部が溝部に挿し込まれた状態で、側板部が発射球供給装置に取り付けられたところに特徴を有する。
【００１１】
請求項４の発明は、請求項１乃至３の何れか１の請求項に記載の弾球遊技機において、板部材は、切込部を構成するために折り曲げ部で折り曲げられる帯板部を備えると共に、帯板部の幅方向の一側縁部に開放した切り欠き部が形成され、切込部は、帯板部のうち切り欠き部より先端側の平板部を切り欠き部側に折り曲げ、その折り曲げられた平板部のエッジと切り欠き部のエッジとを略Ｖ字形に配置して形成されたところに特徴を有する。
【００１２】
請求項５の発明は、請求項１乃至４の何れか１の請求項に記載の弾球遊技機において、発射球供給装置の後側に発射装置が配置され、発射球供給装置のうち発射装置側に不正防止部材が取り付けられたところに特徴を有する。
【００１３】
請求項６の発明は、請求項１乃至５の何れか１の請求項に記載の弾球遊技機において、切込部は、遊技球の発射方向の前方に向かうに従って徐々に幅狭になるように形成されているところに特徴を有する。
【発明の効果】
【００１４】
［請求項１の発明］
請求項１の発明によれば、操作線付き遊技球が発射球供給孔を通って発射装置に供給され、発射装置によって発射された場合に、発射球供給孔又はその近傍に配置された不正防止部材の切込部に操作線を進入させて、その切込部における刃部にて操作線を切断するか又は捕捉することができる。これにより、操作線付き遊技球によって不正に利益を得るという不正行為を規制することが可能となる。
【００１５】
また、本発明によれば、１枚の板部材を折り曲げ部で折り曲げることで、操作線を切断又は捕捉することが可能な略Ｖ字形の切込部が形成されているから、不正防止部材を比較的容易に製造することが可能となる。
【００１６】
ここで、本発明に係る切込部は、板部材のうち折り曲げ部の両側に位置する１対の板片同士の一部を重ね合わせると共に、重なり合っていない部分のエッジ同士を１対の板片の重ね合わせ面と同一平面内で略Ｖ字形に配置して切込部を形成すると、より効果的である。
【００１７】
また、発射装置から発射された操作線付き遊技球の軌道が多少ばらついたとしても、操作線を確実に切込部に誘導することが可能となる。
【００１８】
［請求項２の発明］
請求項２の発明によれば、不正防止部材のうち折り曲げ部が溝部に挿し込まれているから、折り曲げ部が拡開変形して操作線を切断又は捕捉する性能が低下することを防止することが可能となる。
【００１９】
［請求項３の発明］
請求項３の発明によれば、不正防止部材の主板部のうち、側板部から離れた側の端部を発射球供給装置の第１外面に形成された溝部に挿し込んで、不正防止部材を発射球供給装置の第１外面に仮止めした状態で、側板部を発射球供給装置に取り付けることが可能となる。また、不正防止部材の主板部と側板部をそれぞれ、発射球供給装置に固定することができるから、不正防止部材のぐらつきを防止することが可能となる。
【００２０】
また、例えば、主板部のうち側板部から離れた端部を溝部に挿し込むのではなく、発射球供給装置の第１外面に突き当てた構成とした場合、主板部の端部と発射球供給装置の第１外面との間に操作線が入り込んで、切込部による操作線の切断又は捕捉を回避されてしまうという不具合が生じ得る。このような不具合を防止するには、主板部の端部を第１外面にぴったりと突き当てる必要があり、高度な部品精度や組み付け精度が要求される。これに対し、本発明によれば、主板部の端部が第１外面の溝部に挿し込まれているから、さほど高い精度を必要とせずに、上記した不具合を防止することが可能となる。
【００２１】
［請求項４の発明］
請求項４の発明によれば、切込部を形成するには、板部材の帯板部のうち、切り欠き部の奥側に残された幅狭な部分を折り曲げればよく、折り曲げ操作を比較的容易に行うことが可能となる。
【００２２】
［請求項５の発明］
請求項５の発明によれば、不正防止部材を無力化するような不正行為（取り外しや破壊等）を防止することが可能となる。
【００２３】
［請求項６の発明］
本発明に係る切込部は操作線付き遊技球が発射装置にて発射された場合に、操作線が切込部の奥部に向かって進入し得る配置になっていればよい。具体的には、例えば、請求項６の発明のように、切込部を発射方向の前方に向かうに従って幅狭になるように配置することで、操作線を切込部に進入させて切断又は捕捉し易く構成することが可能である。
【図面の簡単な説明】
【００２４】
【図１】本発明の第１実施形態に係る弾球遊技機の正面図
【図２】弾球遊技機の斜視図
【図３】ガラス枠及び下皿付きカバーを開放した弾球遊技機の斜視図
【図４】遊技機本体の正面図
【図５】遊技機本体の下部の斜視図
【図６】発射機構ユニットの正面図
【図７】発射機構ユニットを前面側から見た分解斜視図
【図８】発射機構ユニットを後面側から見た分解斜視図
【図９】発射球供給装置の分解斜視図
【図１０】発射球供給装置の分解斜視図
【図１１】発射球供給装置の分解斜視図
【図１２】発射球供給装置の供給動作を表す斜視図
【図１３】不正防止部材の斜視図
【図１４】不正防止部材を展開した板金の平面図
【図１５】ケース本体における発射球供給孔の近傍部分の斜視図
【図１６】遊技球がセットされた状態の発射機構ユニットの斜視図
【図１７】操作線付き遊技球が発射された直後の発射機構ユニットの斜視図
【図１８】操作線が切込部の奥部に進入した状態の発射機構ユニットの斜視図の操作線が切込部に進入した状態の斜視図
【図１９】（Ａ）変形例に係る不正防止部材の平面図、（Ｂ）その不正防止部材を折り曲げる前の板金の平面図
【図２０】（Ａ）変形例に係る不正防止部材の平面図、（Ｂ）その不正防止部材を折り曲げる前の板金の平面図
【図２１】参考例に係る不正防止部材の斜視図
【図２２】（Ａ）参考例に係る不正防止部材の斜視図、（Ｂ）その不正防止部材を折り曲げる前の板金の平面図
【発明を実施するための形態】
【００２５】
以下、本発明を適用した弾球遊技機１０（具体的には、パチンコ遊技機）に係る一実施形態を、図１〜図１８に基づいて説明する。図１に示すように、弾球遊技機１０の遊技盤１１のうち、遊技者と対向する前面には、ガイドレール１２が設けられており、そのガイドレール１２で囲まれた遊技領域Ｒ１が弾球遊技機１０の前面の窓３１Ｗを通して視認可能となっている。後述する発射装置６０から発射された遊技球は、遊技盤１１の左側部を通って上端寄り位置から遊技領域Ｒ１に進入する。
【００２６】
遊技領域Ｒ１の中央には、表示装置１３が設けられている。表示装置１３の下方には、第１と第２の始動入賞口１４Ａ，１４Ｂ、大入賞口１５が、上から順に間隔を開けて並べて設けられている。第１の始動入賞口１４Ａの左側には、ガイドレール１２に沿って一般入賞口２０が複数設けられている。各入賞口１４Ａ，１４Ｂ，１５，２０の何れにも入賞しなかった遊技球は、遊技領域Ｒ１の下端に配置されたアウト口１６に全て取り込まれる。また、表示装置１３の左側には、始動ゲート１８と風車１９が設けられている。なお、図示しないが、遊技領域Ｒ１には多数の障害釘が植設されている。
【００２７】
図２に示すように、弾球遊技機１０の前面のうち、窓３１Ｗの周囲には装飾ランプ３６が設けられている。また、弾球遊技機１０の上端両角部にはスピーカ３５が設けられている。なお、図２〜図５では、遊技盤１１の前面に備えた表示装置１３等の図示を省略してある。
【００２８】
図２に示すように、窓３１Ｗの下方には、上皿２７及び下皿２８が上下２段にして設けられている。これら上皿２７及び下皿２８は、弾球遊技機１０の前方に膨出している。上皿２７の右側方には球抜きボタン２２を含む各種操作ボタンが設けられている。球抜きボタン２２を押下すると、上皿２７から下皿２８に遊技球が移動する。
【００２９】
下皿２８の底部には、図示しない球排出口が貫通形成されており、その球排出口が常には、シャッター部材２３によって塞がれている。シャッター部材２３を水平にスライドさせて球排出口を開放すると、遊技球を下皿２８の下方に排出することができる。
【００３０】
弾球遊技機１０の前面における右下角部には操作ノブ２４が備えられている。操作ノブ２４は、弾球遊技機１０の前面から突出しており、その突出方向と平行な水平回転軸回りで回動操作をすることが可能となっている。操作ノブ２４を回動操作すると、上皿２７に貯留された遊技球が、後述する発射球供給装置４０によって発射装置６０に１球ずつ供給され、発射装置６０が１球ずつ遊技領域Ｒ１に向けて遊技球を弾き出す。そして、遊技領域Ｒ１を流下する途中で遊技球が上記した各入賞口１４Ａ，１４Ｂ，１５，２０（図１参照）に入球すると、賞球として所定数の遊技球が上皿２７に払い出される。なお、上皿２７は、本発明の「発射球貯留部」に相当する。
【００３１】
以下、遊技盤１１の前面に備えた表示装置１３等について詳説する。表示装置１３は、液晶モジュール（詳細には、ＴＦＴ−ＬＣＤモジュール）で構成され、遊技盤１１の中央部に貫通形成された図示しない表示取付孔に対し、遊技盤１１の後面側から取り付けられている。また表示取付孔には、遊技盤１１の前面側から枠形構造の表示装飾枠２１が取り付けられ、その表示装飾枠２１によって表示装置１３の周囲が囲まれている。
【００３２】
始動ゲート１８は、遊技球が潜って通過可能な門形構造をなしている。始動ゲート１８を遊技球が通過する毎に当否判定が行われ、普通図柄表示部（図示せず）にて判定結果が表示される。
【００３３】
普通図柄表示部は、例えば、表示装置１３の表示画面の一角部に設けられている。始動ゲート１８を遊技球が通過すると、普通図柄表示部にて普通図柄が変動表示した後に停止表示される。例えば、普通図柄としての「○」と「×」の図柄が所定時間に亘って交互に表示され、当否判定が当たり（以下、適宜「小当たり」という）の場合は、当たり図柄である「○」が停止表示され、当否判定が外れの場合は外れ図柄である「×」が停止表示される。そして、次の変動表示が開始されるまで普通図柄の停止表示を継続する。なお、表示装置１３の表示画面の一角部に普通図柄表示部を設ける替わりに、普通図柄専用の表示装置を設けてもよい。
【００３４】
第１と第２の始動入賞口１４Ａ，１４Ｂは、共に遊技盤１１から突出した部材の上面に開口を備えたポケット構造をなしている。各始動入賞口１４Ａ，１４Ｂに入った遊技球は、遊技盤１１の裏側（図示せず）に回収される。
【００３５】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、上述した「小当たり」（普通図柄が当たり図柄で停止）となった場合に、可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる（図１の状態）。
【００３６】
各始動入賞口１４Ａ，１４Ｂに遊技球が入賞すると、予め定められた所定数の遊技球（賞球）が上皿２７に払い出されると共に、当否判定が行われる。その判定結果は、表示装置１３の表示画面において特別図柄１３Ａ，１３Ｂ，１３Ｃの組み合わせで表示される。
【００３７】
具体的には、表示装置１３の表示画面には、図１に示すように、通常、３つの左、中、右の特別図柄１３Ａ，１３Ｂ，１３Ｃが横並びに停止表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、第１及び第２の始動入賞口１４Ａ，１４Ｂに遊技球が入賞したときに、これら３つの特別図柄１３Ａ，１３Ｂ，１３Ｃが、上下方向にスクロール表示され、所定時間後に、例えば、左、右、中の順で各特別図柄１３Ａ，１３Ｂ，１３Ｃが停止表示される。そして、当否判定結果が当り（以下、「大当り」という）の場合には、各特別図柄１３Ａ，１３Ｂ，１３Ｃが全て同じ図柄（ゾロ目）で停止表示され、遊技が「大当り遊技状態」に移行する。これに対し、当否判定結果が外れの場合には、ゾロ目以外の組み合わせで停止表示され、「大当り遊技状態」ではない通常遊技状態が続く。
【００３８】
大入賞口１５は、遊技盤１１の前面に開放して横長形状をなしており、常には、可動扉１５Ｔにて閉塞されている。そして、上記したように特別図柄１３Ａ，１３Ｂ，１３Ｃがゾロ目で停止表示した場合に、可動扉１５Ｔが前側に倒れて大入賞口１５が開放し（図１に示す状態）、可動扉１５Ｔをガイドにして大入賞口１５に遊技球が入賞可能になる。大入賞口１５に遊技球が入賞すると予め定められた所定数の遊技球（賞球）が上皿２７に払い出される。以上が、遊技盤１１の前面に関する説明である。
【００３９】
図３に示すように、弾球遊技機１０は、遊技盤１１が嵌め込まれた遊技機本体３０の前面に、ガラス枠扉３１及び下皿扉３２を備えている。同図に示すように、ガラス枠扉３１及び下皿扉３２は、遊技機本体３０の一側部（正面視左側部）にヒンジを介して連結されており、遊技機本体３０に対して開閉可能となっている。
【００４０】
ガラス枠扉３１には、ガラス板３１Ｇで塞がれた略円形の窓３１Ｗが設けられ、ガラス板３１Ｇ越しに遊技領域Ｒ１を視認することができる。また、ガラス枠扉３１の前面のうち、窓３１Ｗより下側には、前記上皿２７が一体に設けられている。
【００４１】
下皿扉３２は、横長構造をなしており、遊技機本体３０の前面のうち、遊技盤１１より下方部分を覆っている。下皿扉３２の前面には前記下皿２８が一体に設けられている。
【００４２】
下皿扉３２の上辺とガラス枠扉３１の下辺は、遊技機本体３０に対する閉止状態において互いに重なるように配置されている。つまり、ガラス枠扉３１を開放しないと下皿扉３２を開放することができず、下皿扉３２を閉めないとガラス枠扉３１を閉めることができない構造となっている。
【００４３】
ガラス枠扉３１と遊技機本体３０とを連結したヒンジとは反対側の側部（正面視右側部）には、遊技機本体３０に対してガラス枠扉３１を閉止状態に保持する係合部（図示せず）が備えられている。また、操作ノブ２４の上方位置には、キーシリンダ２５が備えられており、そのキーシリンダ２５に対するキー操作により、係合部の係合が解除される。
【００４４】
図４に示すように、遊技機本体３０の前面のうち遊技盤１１の下方には、下皿扉３２によって前方から覆われた発射機構ユニット３４及び戻り球回収ダクト３３が設けられている。発射機構ユニット３４は、遊技機本体３０の前面のうち左右方向のほぼ中央部に配設され、その左側方に戻り球回収ダクト３３が配設されている。図５に示すように、発射機構ユニット３４は、発射球供給装置４０と発射装置６０とから構成されており、操作ノブ２４の回動操作に伴って上皿２７の遊技球を取り込んで遊技領域Ｒ１に向けて打ち出す。戻り球回収ダクト３３は、発射装置６０に備えた発射レール６２（図５参照）とガイドレール１２との間に配置されており、勢いが弱過ぎてガイドレール１２まで到達しなかった遊技球や、遊技領域Ｒ１まで到達せずガイドレール１２を逆戻りした遊技球を受け入れて下皿２８に排出するようになっている。
【００４５】
図５に示すように、発射機構ユニット３４は、発射装置６０の一部を構成する板金製の台盤６１に、発射球供給装置４０、発射レール６２、打撃槌６３等の種々の部品を組み付けて構成されている。図７に示すように、台盤６１は横長の長方形をなしており、その四隅を貫通した螺子（図示せず）によって遊技機本体３０の前面に固定されている。また、発射球供給装置４０と台盤６１は、左右方向の一側部（正面視右側部）でヒンジピン４０Ｈ及びヒンジブラケット６１Ｈによって連結されており、発射球供給装置４０を発射装置６０に対して回動させることが可能となっている。また、その回動を禁止するために、発射球供給装置４０のうちヒンジピン４０Ｈから離れた位置にナイラッチ４０Ｎが設けられており、そのナイラッチ４０Ｎのプランジャが台盤６１から突出した円筒ボス６１Ａの内側に係合するように構成されている。
【００４６】
図７に示すように、台盤６１の前面のうち、ヒンジブラケット６１Ｈとは反対の側部（正面視左側部）寄り位置には発射レール６２が固定されている。発射レール６２は水平面に対して約４５度の角度で左斜め上方に向かって延びている。また、発射レール６２は断面Ｍ字形をなしており、その上面に形成されたＶ字形の溝で遊技球を案内するように構成されている。
【００４７】
発射レール６２の下端部の上方には、球止め部材６６が取り付けられている。球止め部材６６のうち発射レール６２側を向いた面は、発射レール６２の上面との間隔が斜め下方に向かうに従って徐々に狭くなるテーパー面となっている。そして、テーパー面と発射レール６２の上面との間隔が最も狭くなった左下端部には、斜め下方に開放した打撃口６２Ｗが形成されている。発射球供給装置４０から発射レール６２上に供給された遊技球は、発射レール６２の下端部で球止め部材６６に当接し、打撃口６２Ｗに臨んだ打撃待機位置で停止する。
【００４８】
図７に示すように、台盤６１の前面中央には打撃槌６３が設けられている。打撃槌６３は、台盤６１を前後方向に貫通した回転軸６３Ｊによって回動可能に支持されている。打撃槌６３は、回転軸６３Ｊから斜め下方に向かって延びた打撃アーム６３Ａとその反対側に延びたストッパアーム６３Ｂとを備え、打撃アーム６３Ａの先端は、発射レール６２に向かってＬ字形に屈曲した槌先端部６３Ｃとなっている。槌先端部６３Ｃは、打撃アーム６３Ａに一体形成された芯棒（図示せず）の外側を金属製のスプリング６３Ｄで包囲した構造となっている。打撃槌６３が回転軸６３Ｊを中心にして往復回動することで、槌先端部６３Ｃが打撃口６２Ｗに対して進退する。
【００４９】
台盤６１の前面のうち、打撃アーム６３Ａの側方位置及びストッパアーム６３Ｂの側方位置には、それぞれストッパ６７，６８が設けられている。これらストッパ６７，６８と打撃アーム６３Ａ及びストッパアーム６３Ｂとの当接により、打撃槌６３の回動範囲が規制されている。具体的には、打撃アーム６３Ａの側面がストッパ６７に当接することで、槌先端部６３Ｃが打撃口６２Ｗから離れた後端位置（図７に示す位置）に配置され、ストッパアーム６３Ｂの側面がストッパ６８に当接することで、槌先端部６３Ｃが打撃口６２Ｗに突入した打撃位置に配置される。
【００５０】
図８に示すように、台盤６１の後面中央には、機構ハウジング６９が組み付けられている。機構ハウジング６９は扁平な矩形箱状をなしており、その内部には、図示しない発射モータ及び弾発エレメントが収容されている。弾発エレメントは、操作ノブ２４と連結されており、操作ノブ２４に対する回動操作量に応じて、打撃槌６３による遊技球の打撃強度を変更することが可能となっている。また、発射モータは、操作ノブ２４に触れることで作動し、単位時間当たりに所定数（例えば、１分間に１００個）の遊技球を打ち出すように一定速度で回転する。
【００５１】
即ち、操作ノブ２４を回動操作すると、発射モータの駆動力を受けて打撃槌６３が図７に示す後退位置から打撃位置に向かって（時計回り方向に）回動して、槌先端部６３Ｃが打撃口６２Ｗに突入する。すると、打撃待機位置にセットされた遊技球が槌先端部６３Ｃによって弾かれて、発射レール６２に沿って斜め上方に打ち出される。
【００５２】
図７に示すように、台盤６１の前面には、発射レール６２や打撃槌６３等を台盤６１との間で挟むようにして発射球供給装置４０が取り付けられている。発射球供給装置４０は、上記した発射装置６０の発射動作に連動して、遊技球を発射レール６２上に１球ずつ供給する。図９に示すように、発射球供給装置４０は樹脂製のケース４１の内部に、発射球通過路４７、球送りレバー５１、球抜きスライダ５０、ソレノイド５６等を備えてなる。
【００５３】
ケース４１は、前後方向で扁平な箱形構造をなしており、その扁平方向でケース本体４２とカバー体４６とに分解可能となっている。ケース４１のうち、台盤６１側に配置されたケース本体４２は、台盤６１と平行な横長の垂直壁４２Ａを備え、その垂直壁４２Ａの外縁部から台盤６１側にスペーサ壁４２Ｂが起立している。スペーサ壁４２Ｂは台盤６１の前面に突き当てられていて、台盤６１と発射球供給装置４０（垂直壁４２）との間に、前記した発射レール６２、打撃槌６３等の配置スペースが確保されている。また、垂直壁４２Ａからスペーサ壁４２Ｂとは反対のカバー体４６側に帯状壁部４２Ｄが起立しており、その帯状壁部４２Ｄがカバー体４６の垂直壁４６Ａに突き合わされて、発射球通過路４７が形成されている。
【００５４】
カバー体４６の垂直壁４６Ａの外縁部からは、ケース本体４２に向かって囲壁４６Ｂが起立しており、その囲壁４６がケース本体４２の垂直壁４２Ａを包囲している。囲壁４６Ｂの複数箇所には片持ち梁状の係止片４６Ｃが形成され、それらがケース本体４２の垂直壁４２Ａの外縁部に係止することで、ケース本体４２とカバー体４６とが合体状態に保持されている（図８参照）。なお、ケース本体４２の垂直壁４２Ａのうち、発射球通過路４７の上辺に沿った複数位置にはフック４２Ｆが形成されている。これらフック４２Ｆはソレノイド５６から延びた図示しない配線を拘束するために設けられている。
【００５５】
図９に示すように、ケース本体４２のうち、帯状壁部４２Ｄの下方にはインナーカバー４４が係脱可能に組み付けられている。図１１に示すように、インナーカバー４４は、ケース本体４２の垂直壁４２Ａに宛がわれた後面が開放した略直方体形状をなし、その後面開口縁から突出した複数の係止爪４４Ａが、ケース本体４２の垂直壁４２Ａに貫通形成された係止孔４２Ｃの縁部に係止されている（図８参照）。
【００５６】
インナーカバー４４の内部には、球抜きスライダ５０及びコイルバネ４９が収容されている。コイルバネ４９は、球抜きスライダ５０の基端部とインナーカバー４４の側壁との間で圧縮状態にされて、球抜きスライダ５０を一方に付勢している。その付勢方向の前方に位置するインナーカバー４４の側壁には進退孔４４Ｃ（図１０及び図１１参照）が形成されており、その進退孔４４Ｃに球抜きスライダ５０の先端部が挿通されている。
【００５７】
図１０に示すように、ケース本体４２の垂直壁４２Ａには遊技球が１つずつ通過可能な縦長の発射球供給孔４５が貫通形成されている。発射球供給孔４５は、ケース４１の左右方向の一側部（左端）寄り位置に設けられている。また、発射球供給孔４５は、発射レール６２の下端部（打撃口６２Ｗ）寄り位置に側方から臨んでおり、ここから発射レール６２上に遊技球を供給するように構成されている。
【００５８】
図９に示すように、ケース４１の内部には、発射球供給孔４５の上方からケース４１の左右方向の他側部（右端）に向かって延びた発射球通過路４７が設けられている。発射球通過路４７は、発射球供給孔４５の近傍でクランク状に屈曲した屈曲路４７Ａと、屈曲路４７Ａから離れるに従って緩やかに上方に向かうように傾斜して延びた傾斜路４７Ｂとから構成されている。また、傾斜路４７Ｂの上端部は、カバー体４６の垂直壁４６Ａを貫通した略矩形状の球入口４６Ｄと連通しており、その球入口４６Ｄを介して、発射球通過路４７と上皿２７とが連絡している。上皿２７に貯留されている遊技球は、球入口４６Ｄを通って発射球通過路４７に流入し、その発射球通過路４７を自重で発射球供給孔４５に向かって移動する。ここで、カバー体４６の垂直壁４６Ａの中央部分はヒンジ４６Ｈを中心にして開閉することが可能な扉体４６Ｇ（図６参照）となっており、発射球通過路４７で球詰まり等の不具合が生じた場合に、迅速に対処することが可能となっている。
【００５９】
図９に示すように、発射球通過路４７の屈曲路４７Ａの下方には、上方と前方とに開放した遊技球排出路４８が形成されている。遊技球排出路４８の上方開口は屈曲路４７Ａと連通し、遊技球排出路４８の前方開口は垂直壁４６Ａに貫通形成された排出口４６Ｆを介して下皿２８と連通している。屈曲路４７Ａと遊技球排出路４８との間は、常には、球抜きスライダ５０によって遮断されている。即ち、球抜きスライダ５０は、発射球通過路４７における傾斜路４７Ｂの下方に配置されており、傾斜路４７Ｂと平行な方向にスライド可能となっている。球抜きスライダ５０のうち、前記したインナーカバー４４の進退孔４４Ｃに挿通された先端部は、帯板状の閉塞壁５０Ａとなっていて、この閉塞壁５０Ａが、常には、コイルバネ４９の付勢力によって発射球供給路４７内に突出している。このとき、閉塞壁５０Ａが、発射球通過路４７における屈曲路４７Ａの一部を構成すると共に、屈曲路４７Ａと遊技球排出路４８との間が遮断される。即ち、上皿２７の遊技球は、発射球通過路４７を通って発射球供給孔４５へと案内される。一方、上記した球抜きボタン２２（図１参照）が押下されると、球抜きスライダ５０がコイルバネ４９の付勢力に抗してスライドして、閉塞壁５０Ａが発射球供給路４７内から退避する。すると、屈曲路４７Ａと遊技球排出路４８との間が連通状態になって、上皿２７の遊技球が、発射球通過路４７、遊技球排出路４８及び排出口４６Ｆを通って下皿２８に移動する。なお、球抜きスライダ５０の基端側部分からは、スライド方向と直交した水平方向に連結軸部５０Ｊが突出している。連結軸部５０Ｊは、インナーカバー４４に形成された長孔４４Ｂ及び、カバー体４６の垂直壁４６Ａに形成された長孔４６Ｅを貫通してケース４１の前面から突出している。そして、図示しないが、連結軸部５０Ｊと球抜きボタン２２とが下皿扉３２の内部で連結可能となっている。
【００６０】
球送りレバー５１は前後方向に突出した回動軸５１Ｊを備え、その回動軸５１Ｊがケース４１の垂直壁４２Ａ，４６Ａの間に差し渡されて上下に回動可能となっている。球送りレバー５１のうち、回動軸５１Ｊから離れた端部には、遊技球が丁度１つ入る大きさの球受容部５２が形成されている。球受容部５２は、回転軸５１Ｊと平行な略水平方向（前後方向）に開放して、発射球供給孔４５と連通可能であると共に、回動半径方向の外側に開放して、発射球通過路４７の終端開口４７Ｘ（図１０参照）と連通可能となっている。球送りレバー５１のうち、球受容部５２の上側部分は終端開口４７Ｘと対向可能な球当接部５３となっており、球受容部５２の下側部分は発射球供給孔４５の内側で上下動する球転動部５４となっている。また、球送りレバー５１の上面には、金属製の吸着部材５５が備えられている。球送りレバー５１は常には下端位置に配置されている。このとき、球当接部５３が終端開口４７Ｘと対向して、発射球通過路４７内の遊技球を堰き止める。また、球受容部５２が発射球供給孔４５と整合して、球受容部５２内の遊技球を発射球供給孔４５から外部に放出することが可能になる（図１２（Ａ）に示す状態）。
【００６１】
ケース４１のうち球送りレバー５１の上方にはソレノイド５６が組み付けられている。ソレノイド５６が励磁されると吸着部材５５が吸引されて球送りレバー５１が自重に抗して上方に回動する。すると、図１２（Ｂ）に示すように、球受容部５２と発射球通過路４７の終端開口４７Ｘとが連絡し、発射球通過路４７内の遊技球のうち、球当接部５３に当接していた先頭の遊技球が、球受容部５２に受け入れられる。このとき、球転動部５４が上方に移動して、発射球供給孔４５の開口縁と球転動部５４との間の開口面積を狭めるので、発射球供給孔４５から発射レール６２へと遊技球が放出されることはない。
【００６２】
ソレノイド５６が消磁して、図１２（Ｃ）に示すように球送りレバー５１が下端位置に戻されると、球受容部５２に取り込まれた遊技球の後続の遊技球が球当接部５３によって堰き止められると共に、球受容部５２に取り込まれた遊技球が、球転動部５４の上面の下り傾斜によって発射球供給孔４５から発射レール６２上に放出される。つまり、球送りレバー５１が上下に一度回動する度に遊技球が１つ発射レール６２上に供給される。ここで、球送りレバー５１の回動動作は、発射装置６０の打撃槌６３の打撃動作と連動しており、打撃槌６３が往復回動して遊技球を１つ打ち出すごとに、発射球供給装置４０は発射レール６２上に遊技球を１つ供給する。
【００６３】
さて、遊技球に糸やピアノ線等の操作線Ｗ１を取り付けた「操作線付き遊技球」による不正行為を規制するために、発射球供給装置４０には、図１３に示す不正防止部材８０が取り付けられている。
【００６４】
不正防止部材８０は、例えば、板金などの板部材で構成されていて、主板部８１から側板部８２を直角に折り曲げた構造をなしている。主板部８１及び側板部８２は共に平板状をなしており、側板部８２のうち主板部８１から離れた側の端部寄り位置には、螺子挿通孔８３が貫通形成されている。不正防止部材８０は、螺子挿通孔８３に通された螺子８９などの取付部材によって発射球供給装置４０の外面に固定されている（図８参照）。
【００６５】
主板部８１のうち、側板部８２から離れた端部８１Ａ寄り位置には、切込部８４が形成されている。切込部８４は、主板部８１と平行な同一平面内に配置された１対の刃部８４Ａ，８４Ｂを略Ｖ字形に配置してなる。切込部８４は、主板部８１の下辺に開放すると共に上方に向かうに従って幅狭になっている。１対の刃部８４Ａ，８４Ｂのうち、側板部８２から離れた側（端部８１Ａ寄り位置）に配置された刃部８４Ｂは、側板部８２と平行に延びている。一方、側板部８２側に配置された刃部８４Ａは、上方に向かうに従って側板部８２から離れるように（刃部８４Ｂに接近するように）傾斜して延びている。
【００６６】
主板部８１のうち刃部８４Ａに連続した下辺は、側板部８２から刃部８４Ａに近づくに従って上方に向かうように傾斜しており、本発明の導入部８５Ａとなっている。また、刃部８４Ｂと主板部８１の下辺とが交差した角部は略円弧状に湾曲しており、この角部も本発明の導入部８５Ｂとなっている。
【００６７】
不正防止部材８０は、プレスによって所定の形状に打ち抜いた板金９０（ブランク材）を折り曲げてなり、その折り曲げられる前の板金９０が図１４に示されている。同図に示すように、板金９０は、不正防止部材８０の主板部８１を構成する第１帯板部９１と、側板部８２を構成する第２帯板部９２とから構成されている。
【００６８】
第２帯板部９２のうち、第１帯板部９１から離れた端部には、螺子挿通孔８３が貫通形成されている。螺子挿通孔８３は、プレスによって板金９０を打ち抜く際に同時に形成される。また、第１帯板部９１と第２帯板部９２との間に設定された第２折り曲げ線Ｌ２により第１帯板部９１と第２帯板部９２とが直角になるように折り曲げると、第２帯板部９２がそのまま不正防止部材８０の側板部８２となる。
【００６９】
第１帯板部９１は、第２折り曲げ線Ｌ２から離れる方向に延びた帯板状をなしている。第１帯板部９１には、その幅方向（第２折り曲げ線Ｌ２と平行な方向）の一側縁部に開放した湾部９６（本発明の「切り欠き部」に相当する）が形成されている。湾部９６は、第１帯板部９１のうち第２帯板部９２から離れた先端寄り位置に設けられている。湾部９６は奥に向かうに従って幅狭になっており、湾部９６の奥側に残されたネック部９５によって、湾部９６の両側の平板部９３，９４が一体に繋がっている。また、ネック部９５のうち平板部９４側の端部には、幅方向の両側を切り欠いてなる括れ部９５Ａが形成されている。以下、湾部９６の両側の平板部９３，９４を区別するために、湾部９６より基端側（第２帯板部９２側）の平板部９３を「第１平板部９３」といい、湾部９６より先端側（湾部９６を挟んで第１平板部９３と反対側）の平板部９４を「第２平板部９４」という。なお、第２平板部９４は、本発明の「切り欠き部より先端側の平板部」に相当する。
【００７０】
第２平板部９４は、湾部９６の内辺である側辺９４Ｃと、第１帯板部９１の先端である側辺９４Ａとを１対の平行な長辺として備えた長方形状をなしている。また、その長方形の各角部は、全て丸みを帯びた形状をなしている。
【００７１】
第１平板部９３は、第２平板部９４よりも面積が大きい非対称な四角形状をなしている。第１平板部９３のうち、湾部９６の内辺である側辺９３Ａは、湾部９６の開放端に向かうに従って第２平板部９４から離れるように傾斜している。側辺９３Ａには、第１帯板部９１の一側縁部を構成する側辺９３Ｂが鈍角に交差しており、その交差角部９３Ｃは丸みを帯びた形状をなしている。
【００７２】
そして、第１帯板部９１を、その幅方向で湾部９６を横切る第１の折り曲げ線Ｌ１で折り重ねる（１８０度折り曲げる）と、不正防止部材８０の主板部８１が形成される。
【００７３】
詳細には、第１の折り曲げ線Ｌ１は、ネック部９５のうち第２平板部９４側の端部、即ち、ネック部９５の中でも特に幅狭な括れ部９５Ａを横切るように設定されており、その第１の折り曲げ線Ｌ１で第１帯板部９１を折り重ねると、第２平板部９４が、ネック部９５及び湾部９６と、第１平板部９３の一部とに重なった状態になる。つまり、主板部８１は、第１帯板部９１のうち、第１の折り曲げ線Ｌ１（折り曲げ部８６）の両側に位置する「１対の板片」としての第１平板部９３及びネック部９５と、第２平板部９４とを折り重ねた構造となっている。
【００７４】
第１帯板部９１を第１の折り曲げ線Ｌ１で折り重ねると、第１平板部９３と第２平板部９４の互いに重なり合わなかった部分で、切込部８４が形成される。詳細には、第２平板部９４のうち湾部９６に重なった側辺９４Ａのエッジ（展開状態の第１帯板部９１における先端のエッジ）と、第１平板部９３のうち湾部９６の内辺である側辺９３Ａのエッジとが、第１平板部９３と第２平板部９４の重ね合わせ面と同一平面内で略Ｖ字形に配置され、それら両エッジを１対の刃部８４Ａ，８４Ｂとして備えた切込部８４が形成される。また、第２平板部９４のうち、側辺９４Ａに連続して丸みを帯びた角部９４Ｂは、不正防止部材８０における導入部８５Ｂとなり、第１平板部９３のうち、丸みを帯びた交差角部９３Ｃとこれに連続した側辺９３Ｂは、不正防止部材８０における導入部８５Ａとなる。
【００７５】
図８に示すように、不正防止部材８０は、発射球供給装置４０のうち発射球供給孔４５が開口した外面、即ち、発射装置６０側を向いた垂直壁４２Ａの後面（本発明の「第１外面」に相当する）に取り付けられている。より詳細には、図１５及び図１６に示すように、垂直壁４２Ａの後面のうち、発射レール６２及び発射球供給孔４５よりも上方に取り付けられている。
【００７６】
垂直壁４２Ａの後面には、台盤６１に向かって起立した壁状の支持壁７０が形成されている。支持壁７０は、発射球供給孔４５の上方から斜め上方に向かって延びている。詳細には、支持壁７０は、発射レール６２の上面と平行に延びかつ、発射レール６２の上面との間に遊技球１個分以上の隙間を空けて配置されている（図１６参照）。支持壁７０の上下方向における中間部には、段付凹部７０Ａが形成されている。段付凹部７０Ａは、不正防止部材８０の側板部８２を上下方向で挟んで保持している。
【００７７】
図１５に示すように、垂直壁４２Ａの後面のうち、支持壁７０の下向斜面に隣接した位置には、斜めに延びた溝部７２が形成されている。溝部７２は、垂直壁４２Ａの後面側から見て、段付凹部７０Ａの側方位置に配置されている。また、溝部７２の水平面に対する傾斜角は、支持壁７０の水平面に対する傾斜角よりも大きくなっている。例えば、支持壁７０の傾斜角は、発射レール６２と平行な約４５度であるのに対し、溝部７２の傾斜角は約６０度となっている。このため、溝部７２は上方に向かうに従って支持壁７０の下向斜面に接近している。
【００７８】
図１６に示すように溝部７２には、不正防止部材８０の主板部８１のうち、側板部８２から離れた端部８１Ａ（図１３参照）が挿し込まれている。これにより、支持壁７０の下向斜面と、不正防止部材８０の主板部８１との間には、比較的鋭い鋭角の楔形領域が形成されている。
【００７９】
ここで、主板部８１の端部８１Ａのうち、上側部分は第１の折り曲げ線Ｌ１による折り曲げによって形成された折り曲げ部８６で構成されており、下側部分は第２平板部９４で構成されている。即ち、主板部８１の端部８１は上側部分が下側部分の約２倍の肉厚になっている。溝部７２の断面形状は、主板部８１の端部８１Ａの断面形状と略一致しているので、折り曲げ部８６が拡開変形することを溝部７２によって防止することができる。
【００８０】
図１５に示すように、ケース本体４２の垂直壁４２Ａには、発射球供給孔４５と連続した楔形スリット７１が形成されている。楔形スリット７１は、発射球供給孔４５の上端一角部から、支持壁７０の下向斜面と不正防止部材８０の主板部８１との間に形成された楔形領域内まで延びており、上方に向かうに従って幅狭になっている。
【００８１】
ケース本体４２の垂直壁４２Ａのうち、発射球供給孔４５の上方には、取付支柱７３が設けられている。取付支柱７３は、垂直壁４２Ａから台盤６１に向かって突出した円柱状をなし、中心部に螺子孔７３Ａが形成されている。取付支柱７３と支持壁７０との間は複数の補強リブ７３Ｒによって連結されている。取付支柱７３の先端面と段付凹部７０Ａの底面は面一になっており、それら先端面及び底面に不正防止部材８０の側板部８２が宛がわれている。そして、側板部８２の螺子挿通孔８３を貫通した螺子８９が螺子孔７３Ａに締め付けられている（図１６参照）。
【００８２】
つまり、不正防止部材８０を発射球供給装置４０に取り付ける場合には、発射球供給装置４０の後面と直交する方向から不正防止部材８０を近づけて、主板部８１の端部８１Ａを溝部７２に挿し込むと共に、側板部８２を段付凹部７０Ａに嵌め込む。この時点で、不正防止部材８０が発射球供給装置４０の後面に対して仮止めされる。その状態で、発射球供給装置４０の後面と直交する方向から近づけた螺子８９を側板部８２の螺子挿通孔８３に通して、取付支柱７３の螺子孔７３Ａに締め付ける。これで、発射球供給装置４０の後面に不正防止部材８０が固定される。主板部８１を溝部７２に挿し込む作業と、側板部８２の螺子止め作業とを同一方向から行うことができるので、不正防止部材８０の取り付けや交換の作業性が向上する。また、溝部７２及び螺子８９によって不正防止部材８０の主板部８１及び側板部８２を固定することができるから、不正防止部材８０のぐらつきを防止することができる。
【００８３】
発射球供給装置４０の後面に固定された不正防止部材８０は、側板部８２がケース本体４２の垂直壁４２Ａと平行に配置され、主板部８１（即ち、１対の刃部８４Ａ，８４Ｂを含む平面）がケース本体４２の垂直壁４２Ａに対して直角に配置されている。また、主板部８１は、発射球供給孔４５よりも遊技球の発射方向の前方側（発射球供給孔４５の斜め上方）に配置される。さらに、主板部８１は、発射レール６２の上端部に向かうに従って発射レール６２との間隔が広がるように水平方向に対して傾斜して配置される。具体的には、発射レール６２の水平面に対する傾斜角が約４５度であるのに対し、主板部８１の水平面に対する傾斜角は約６０度となっていて、その約１５度の角度差によって、主板部８１と発射レール６２との間隔が上方に向かうに従って徐々に広がっている。
【００８４】
本実施形態の構成の説明は以上であって、次に動作を説明する。弾球遊技機１０の操作ノブ２４を回動操作すると、発射球供給装置４０から発射レール６２上に１つずつ遊技球が供給される。その発射球供給装置４０の供給動作に同期して打撃槌６３が打撃動作を行い、打撃槌６３によって弾かれた遊技球が、発射レール６２及びガイドレール１２によって遊技領域Ｒ１へと案内される。そして、遊技領域Ｒ１を流下する遊技球が、各入賞口１４Ａ，１４Ｂ，１５，２０及び始動ゲート１８等へ入球すると、その入球に応じた遊技が進行する。
【００８５】
ところで、不正行為者によって上皿２７に投入された操作線付き遊技球Ｂ１は、正規の遊技球と同様に、上皿２７から発射球供給装置４０を経て発射レール６２へと供給され、発射レール６２にセットされる（図７参照）。このとき、操作線Ｗ１は、発射球供給装置４０の内部（発射球供給孔４５、発射球通過路４７、球入口４６Ｄ）を通って上皿２７に導出され、不正行為者によって保持されている。
【００８６】
この状態で、操作ノブ２４が操作されると、操作線付き遊技球Ｂ１が打撃槌６３によって弾かれ、正規の遊技球と同様に発射レール６２に沿って斜め上方に打ち出される。このとき、操作線付き遊技球Ｂ１は、発射球供給孔４５の側方を通過して斜め上方に向かい、図１７に示すように、操作線Ｗ１が発射球供給孔４５から楔形スリット７１に進入する。図１７から図１８への変化に示すように、操作線付き遊技球Ｂ１がさらに上方に移動すると、操作線Ｗ１は不正防止部材８０の切込部８４に進入する。ここで、発射装置６０から発射された操作線付き遊技球Ｂ１の軌道が多少ばらついたとしても、切込部８４の側方に形成された導入部８５Ａ，８５Ｂによって操作線Ｗ１を確実に切込部８４に誘導することができる。
【００８７】
そして、図１８に示すように、操作線付き遊技球Ｂ１が遊技領域Ｒ１に到達する前に、操作線Ｗ１は切込部８４の奥部において１対の刃部８４Ａ，８４Ｂ（図１４参照）に食い込まれて捕捉される。或いは、操作線Ｗ１が刃部８４Ａ，８４Ｂによって切断される。このとき、刃部８４Ａ，８４Ｂは遊技球の進行方向の前側から操作線Ｗ１に対して斜めに食い込む。
【００８８】
操作線Ｗ１が切断された場合、操作線付き遊技球Ｂ１はガイドレール１２の途中又はガイドレール１２の手前で失速して、戻り球回収ダクト３３に回収される。操作線Ｗ１が切断されれば、その操作線付き遊技球Ｂ１は、不正行為に使用することはできなくなる。また、仮に、操作線Ｗ１が切断されてそのまま遊技領域Ｒ１に進入したとしても、その操作線付き遊技球Ｂ１は弾球遊技機１０の外部から操作を行うことができる状態ではないから問題とならない。
【００８９】
操作線Ｗ１が切込部８４によって捕捉された場合、操作線付き遊技球Ｂ１は戻り球回収ダクト３３に入る。戻り球回収ダクト３３に入った操作線付き遊技球Ｂ１は、切込部８４による捕捉が解除されない限り、下皿２８に出てくることはない。仮に、操作線付き遊技球Ｂ１が下皿２８に出てきて再度、不正行為が行われたとしても、上記した通り、不正防止部材８０によって操作線Ｗ１が捕捉又は切断されることになる。
【００９０】
このように、本実施形態の弾球遊技機１０によれば、操作線付き遊技球Ｂ１が発射球供給孔４５を通って発射装置６０に供給され、発射装置６０によって発射された場合に、発射球供給孔４５の近傍に配置された不正防止部材８０の切込部８４に操作線Ｗ１を進入させて、その切込部８４における１対の刃部８４Ａ，８４Ｂにて操作線Ｗ１を切断するか又は捕捉することができる。これにより、操作線付き遊技球Ｂ１によって不正に利益を得ようとする不正行為を規制することができる。
【００９１】
また、１枚の板金９０を第１の折り曲げ線Ｌ１で折り曲げることで、切込部８４が形成されているから、不正防止部材８０を比較的容易に製造することができる。
【００９２】
即ち、切込部は、板金をＶ字形に剪断して形成することも考えられるが、操作線Ｗ１を切断又は捕捉するには、切込部を比較的鋭い鋭角にする必要があり、そのような切込部を剪断だけで形成することは非常に困難である。また、２枚の板金をずらして貼り合わせて切込部を形成すれば、比較的鋭い鋭角の切込部を形成することができるが、作製に手間がかかるという問題がある。
【００９３】
これに対し、本実施形態によれば、切込部８４は、１枚の板金９０（正確には、第１帯板部９１）を第１の折り曲げ線Ｌ１で折り重ねることで形成されているから、従来のように複数の板金を貼り合わせて切込部を形成する必要が無く、不正防止部材８０を構成する部品点数を少なくしてかつ、比較的容易に作製することが可能になる。
【００９４】
また、第１の折り曲げ線Ｌ１で板金９０の第１帯板部９１を折り曲げる場合、湾部９６の奥側に残された幅狭なネック部９５を折り曲げればよいから、第１帯板部９１の折り曲げ操作を比較的容易に行うことができる。
【００９５】
また、不正防止部材８０は、発射球供給装置４０の後面に設けられているから、不正防止部材８０を無力化するような不正行為（例えば、取り外しや破壊等）を防止することができる。
【００９６】
また、不正防止部材８０の主板部８１のうち第１の折り曲げ線Ｌ１による折り曲げ部８６が、発射球供給装置４０の外面（垂直壁４２Ａの後面）に形成された溝部７２に挿し込まれているから、折り曲げ部８６が拡開変形して操作線Ｗ１を切断又は捕捉する性能が低下することを防止することができる。
【００９７】
ここで、例えば、主板部８１の端部８１Ａを、発射球供給装置４０の外面に付き当てた構成とした場合、主板部８１の端部８１Ａと発射球供給装置４０の外面との間に操作線Ｗ１が入り込んで、切込部８４による操作線Ｗ１の捕捉又は切断が回避されてしまうという不具合が生じ得る。このような不具合を防止するには、主板部８１の端部８１Ａを発射球供給装置４０の外面にぴったりと突き当てる必要があり、高度な部品精度や組み付け精度が要求される。これに対し、本実施形態によれば、主板部８１の端部８１Ａを発射球供給装置４０の外面の溝部７２に挿し込んだ構成にしたから、さほど高い精度を必要とせずに、上記した不具合を防止することができる。
【００９８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９９】
（１）上記一実施形態では、弾球遊技機１０の一例としてパチンコ遊技機を例示したが、本発明はこれに限られず、アレンジボールやスマートボール等、遊技球を使用する他の弾球遊技機に適用してもよい。
【０１００】
（２）発射球供給装置の第１外面（具体的には、上記実施形態における垂直壁４２の後面）に不正防止部材（具体的には、上記実施形態における主板部８１）を敷設して、切込部が発射球供給孔の開口縁に配置されるようにしてもよい。即ち、切込部における１対の刃部を含む平面を、発射球供給装置の第１外面と平行になるように配置してもよい。
【０１０１】
（３）本発明に係る不正防止部材は、操作線Ｗ１を捕捉又は切断することが可能な略Ｖ字形の切込部を有した構造であればよく、上記一実施形態で例示したもの以外に、例えば、図１９（Ａ）及び図２０（Ａ）に示すような構造のものでもよい。即ち、図１９（Ｂ）及び図２０（Ｂ）に示すように、所定の形状に打ち抜いた板金１１０を、第１の折り曲げ線Ｌ１で折り曲げて、その両側に位置する１対の板金片１０１，１０２（本発明の「板片」に相当する）同士を一部で折り重ねて図１９（Ａ）及び図２０（Ａ）に示す不正防止部材１００とし、１対の板金片１０１，１０２のうち、互いに折り重なっていない部分１０１Ａ，１０２Ａのエッジ１０１Ｅ，１０２Ｅ同士が、１対の板金片１０１，１０２の重ね合わせ面と同一平面内で略Ｖ字形に配置されて切込部１００Ｖが形成された構成としてもよい。
【０１０２】
図１９（Ａ）に示す不正防止部材１００では、同図（Ｂ）に示す板金１１０における第１の折り曲げ線Ｌ１の両側の板金片１０１，１０２同士を重ね合わせることで、一方の板金片１０１に形成された略Ｖ字形の第１切り欠き部１０１Ｖと、他方の板金片１０２に形成された略Ｖ字形の第２切り欠き部１０２Ｖとが一部で重なり合って、第１切り欠き部１０１Ｖの縁部であるエッジ１０１Ｅと、第２切り欠き部１０２Ｖの縁部であるエッジ１０２Ｅとの間に第１切り欠き部１０１Ｖ及び第２切り欠き部１０２Ｖよりも鋭角な略Ｖ字形の切込部１００Ｖが形成されている。
【０１０３】
（４）図１９（Ａ）及び図２０（Ａ）に示した不正防止部材１００は、その一端部（例えば、第１の折り曲げ線Ｌ１による屈曲部が形成された端部）を、上記実施形態における主板部８１のように、発射球供給装置４０の第１外面（具体的には、発射球供給孔４５が開口した垂直壁４２Ａの後面）に形成された溝部７２に挿し込んで取り付けてもよい。即ち、切込部１００Ｖにおける１対の刃部（エッジ１０１Ｅ，１０２Ｅ）を含む平面が、発射球供給装置４０の第１外面に対して直角になるように配置してもよい。
【０１０４】
（５）或いは、上記した変形例（２）と同様に、発射球供給装置の第１外面（具体的には、上記実施形態における垂直壁４２Ａの後面）に不正防止部材１００を敷設して、切込部１００Ｖが発射球供給孔の開口縁に配置されるようにしてもよい。即ち、切込部における１対の刃部を含む平面を、発射球供給装置４０の第１外面と平行になるように配置してもよい。
【０１０５】
［参考例１］上記実施形態では、板金９０を第１の折り曲げ線Ｌ１で折り重ねて（１８０度折り曲げて）切込部８４が形成されていたが、例えば、図２１に示す不正防止部材２００のように、板金が第１の折り曲げ線Ｌ１で鋭角曲げされると共に、第１の折り曲げ線Ｌ１の両側に配置された板金片２０１，２０２のエッジ２０１Ｅ，２０２Ｅが略Ｖ字形に配置されて切込部２００Ｖが形成された構成としてもよい。
【０１０６】
［参考例２］また、図２２（Ｂ）に示すように、帯板状の板金３１０に、その幅方向の一側縁部に開放したＶ形断裂部３０３を形成すると共に、板金３１０の幅方向でＶ形断裂部３０３の最奥部を横切る第１の折り曲げ線Ｌ１にて板金３１０を略直角に折り曲げて同図（Ａ）に示す不正防止部材３００とし、第１の折り曲げ線Ｌ１の両側に位置する板金片３０１，３０２のエッジ３０１Ｅ，３０２Ｅが略Ｖ字形に配置されて切込部３００Ｖが形成された構成にしてもよい。
なお、上記実施形態及び参考例を概念化すると、以下の[１]〜[８]の発明となる。
［１］発射球貯留部に貯留された遊技球を、発射装置にて遊技領域に発射して遊技を行う弾球遊技機であって、
遊技球が１球ずつ通過可能な発射球供給孔を有し、前記発射球貯留部から取り込んだ遊技球を、前記発射装置が遊技球を発射する度に前記発射球供給孔を通して１つずつ発射装置に供給する発射球供給装置と、
前記発射球供給孔又はその近傍に配置されると共に、１対の刃部を略Ｖ字形に配置してなる切込部を有し、不正用の操作線付き遊技球の操作線が前記発射球供給孔に通された状態で、その操作線付き遊技球が前記発射装置にて発射された場合に、前記操作線が前記切込部の奥部に向かって進入して、前記１対の刃部にて切断されるか又は１対の刃部に食い込まれて捕捉されるようにした不正防止部材とを備え、
前記不正防止部材は、１枚の板部材を折り曲げ部で折り曲げて形成されると共に、その折り曲げ部の両側に位置する１対の板片のエッジ同士が、前記１対の刃部として前記略Ｖ字形に配置されて前記切込部が形成されていることを特徴とする弾球遊技機。
［２］前記板部材のうち前記折り曲げ部の両側に位置する前記１対の板片同士が一部で重なり合うと共に、それら１対の板片のうち互いに重なり合っていない部分の前記エッジ同士が、前記１対の板片の重ね合わせ面と同一平面内で略Ｖ字形に配置されて前記切込部が形成されていることを特徴とする［１］に記載の弾球遊技機。
［１］の発明によれば、操作線付き遊技球が発射球供給孔を通って発射装置に供給され、発射装置によって発射された場合に、発射球供給孔又はその近傍に配置された不正防止部材の切込部に操作線を進入させて、その切込部における刃部にて操作線を切断するか又は捕捉することができる。これにより、操作線付き遊技球によって不正に利益を得るという不正行為を規制することが可能となる。
また、本発明によれば、１枚の板部材を折り曲げ部で折り曲げることで、操作線を切断又は捕捉することが可能な略Ｖ字形の切込部が形成されているから、不正防止部材を比較的容易に製造することが可能となる。
ここで、本発明に係る切込部は、板部材を折り曲げ部でＶ字形に折り曲げて、折り曲げ部の両側の板片のエッジを刃部として備えた構成にしてもよいが、［２］の発明のように、板部材のうち折り曲げ部の両側に位置する１対の板片同士の一部を重ね合わせると共に、重なり合っていない部分のエッジ同士を１対の板片の重ね合わせ面と同一平面内で略Ｖ字形に配置して切込部を形成すると、より効果的である。
［３］前記不正防止部材のうち前記切込部の側方位置には、前記操作線付き遊技球が発射されたときに前記操作線が摺接して、その操作線を前記切込部に誘導する導入部が設けられたことを特徴とする［２］に記載の弾球遊技機。
［３］の発明によれば、発射装置から発射された操作線付き遊技球の軌道が多少ばらついたとしても、操作線を確実に切込部に誘導することが可能となる。
［４］前記不正防止部材は、前記折り曲げ部が前記前記発射球供給装置のうち前記発射球供給孔を備えた第１外面に形成された溝部に挿し込まれた状態で、前記発射球供給装置に取り付けられたことを特徴とする［２］又は［３］に記載の弾球遊技機。
［４］の発明によれば、不正防止部材のうち折り曲げ部が溝部に挿し込まれているから、折り曲げ部が拡開変形して操作線を切断又は捕捉する性能が低下することを防止することが可能となる。
［５］前記不正防止部材は、主板部から側板部を折り曲げた構造をなすと共に、前記主板部が前記１対の板片同士を折り重ねた構成をなし、
前記主板部のうち前記側板部から離れた端部に前記折り曲げ部が配置されて、その折り曲げ部が前記溝部に挿し込まれた状態で、前記側板部が前記発射球供給装置に取り付けられたことを特徴とする［４］に記載の弾球遊技機。
［５］の発明によれば、不正防止部材の主板部のうち、側板部から離れた側の端部を発射球供給装置の第１外面に形成された溝部に挿し込んで、不正防止部材を発射球供給装置の第１外面に仮止めした状態で、側板部を発射球供給装置に取り付けることが可能となる。また、不正防止部材の主板部と側板部をそれぞれ、発射球供給装置に固定することができるから、不正防止部材のぐらつきを防止することが可能となる。
また、例えば、主板部のうち側板部から離れた端部を溝部に挿し込むのではなく、発射球供給装置の第１外面に突き当てた構成とした場合、主板部の端部と発射球供給装置の第１外面との間に操作線が入り込んで、切込部による操作線の切断又は捕捉を回避されてしまうという不具合が生じ得る。このような不具合を防止するには、主板部の端部を第１外面にぴったりと突き当てる必要があり、高度な部品精度や組み付け精度が要求される。これに対し、本発明によれば、主板部の端部が第１外面の溝部に挿し込まれているから、さほど高い精度を必要とせずに、上記した不具合を防止することが可能となる。
［６］前記板部材は、前記切込部を構成するために前記折り曲げ部で折り曲げられる帯板部を備えると共に、前記帯板部の幅方向の一側縁部に開放した切り欠き部が形成され、
前記切込部は、前記帯板部のうち前記切り欠き部より先端側の平板部を前記切り欠き部側に折り曲げ、その折り曲げられた平板部のエッジと前記切り欠き部のエッジとを略Ｖ字形に配置して形成されたことを特徴とする［１］乃至［５］の何れか１に記載の弾球遊技機。
［６］の発明によれば、切込部を形成するには、板部材の帯板部のうち、切り欠き部の奥側に残された幅狭な部分を折り曲げればよく、折り曲げ操作を比較的容易に行うことが可能となる。
［７］前記発射球供給装置の後側に前記発射装置が配置され、前記発射球供給装置のうち前記発射装置側に前記不正防止部材が取り付けられたことを特徴とする［１］乃至［６］の何れか１に記載の弾球遊技機。
［７］の発明によれば、不正防止部材を無力化するような不正行為（取り外しや破壊等）を防止することが可能となる。
［８］前記切込部は、遊技球の発射方向の前方に向かうに従って徐々に幅狭になるように形成されていることを特徴とする［１］乃至［７］の何れか１に記載の弾球遊技機。
本発明に係る切込部は操作線付き遊技球が発射装置にて発射された場合に、操作線が切込部の奥部に向かって進入し得る配置になっていればよい。具体的には、例えば、［８］の発明のように、切込部を発射方向の前方に向かうに従って幅狭になるように配置することで、操作線を切込部に進入させて切断又は捕捉し易く構成することが可能である。
【符号の説明】
【０１０７】
１０    弾球遊技機
２７    上皿（発射球貯留部）
４０    発射球供給装置
４５    発射球供給孔
６０    発射装置
７２    溝部
７３    螺子止支柱
８０，１００，２００，３００    不正防止部材
８１    主板部
８２    側板部
８４，１００Ｖ，２００Ｖ，３００Ｖ    切込部
８４Ａ，８４Ｂ    刃部
８５Ａ，８５Ｂ    導入部
８６    折り曲げ部
９０，１１０，３１０    板金（板部材）
９１    第１帯板部（帯板部）
９３    第１平板部（板片）
９４    第２平板部（板片、切り欠き部より先端側の平板部）
９６    湾部（切り欠き部）
１０１，１０２，２０１，２０２，３０１，３０２    板金片（板片）
１０１Ｅ，１０２Ｅ，２０１Ｅ，２０２Ｅ，３０１Ｅ，３０２Ｅ    エッジ
Ｌ１    第１の折り曲げ線
Ｂ１    操作線付き遊技球
Ｗ１    操作線
【図１】
0005431529.tif 000002
【図２】
0005431529.tif 000003
【図３】
0005431529.tif 000004
【図４】
0005431529.tif 000005
【図５】
0005431529.tif 000006
【図６】
0005431529.tif 000007
【図７】
0005431529.tif 000008
【図８】
0005431529.tif 000009
【図９】
0005431529.tif 000010
【図１０】
0005431529.tif 000011
【図１１】
0005431529.tif 000012
【図１２】
0005431529.tif 000013
【図１３】
0005431529.tif 000014
【図１４】
0005431529.tif 000015
【図１５】
0005431529.tif 000016
【図１６】
0005431529.tif 000017
【図１７】
0005431529.tif 000018
【図１８】
0005431529.tif 000019
【図１９】
0005431529.tif 000020
【図２０】
0005431529.tif 000021
【図２１】
0005431529.tif 000022
【図２２】
0005431529.tif 000023